(57)【特許請求の範囲】
【請求項１】
メモリ性を有する表示素子と、
前記表示素子の駆動手段と、
電源と、
通信手段と、
前記表示素子の少なくとも一部の表示領域の駆動と通信とが同時に行われることを禁止し、かつ、通信中は前記表示素子の一部の表示領域のみの更新を許可する制御手段と、
を備えたことを特徴とする携帯通信端末。
【請求項２】
通信中に表示の更新が許可される領域は付加情報表示領域であることを特徴とする請求項１記載の携帯通信端末。
【請求項３】
通信中は表示素子の全ての表示領域の更新を禁止する第１のモード、又は通信中は表示素子の一部の表示領域の更新を許可する第２のモードのいずれかを選択する選択手段を備えたことを特徴とする請求項１又は請求項２記載の携帯通信端末。
【請求項４】
メモリ性を有する表示素子と、
前記表示素子の駆動手段と、
電源と、
通信手段と、
通信の入出力レベルの変化に基づいて、通信と前記表示素子との駆動タイミングを調整する制御手段と、
を備えたことを特徴とする携帯通信端末。
【請求項５】
前記制御手段は、待機時又は低入出力レベルでの通信時にのみ前記表示素子の表示更新を許可することを特徴とする請求項４記載の携帯通信端末。
【請求項６】
前記制御手段は、待機時又は低入出力レベルでの通信中は前記表示素子の一部の表示領域の更新を許可することを特徴とする請求項４記載の携帯通信端末。
【請求項７】
待機時又は低入出力レベルでの通信中に表示の更新が許可される領域は付加情報表示領域であることを特徴とする請求項６記載の携帯通信端末。
【発明の詳細な説明】
【０００１】
【発明の属する技術分野】
本発明は、携帯通信端末、特に、携帯電話、ＰＨＳ、メール専用携帯端末、通信機能付きＰＤＡなどの携帯通信端末に関する。
【０００２】
【従来の技術と課題】
近年、２枚の基板間にコレステリック液晶又はカイラルネマティック液晶等のコレステリック相を示す液晶を挟持した反射型液晶表示素子が種々研究、開発されている。この種のコレステリック相を示す液晶は、情報を表示させた後は電圧の印加を停止しても表示が維持される（メモリ性を有する）と共に、反射型であるためにバックライトが不要であり、明るくて高精細なフルカラー表示が容易である利点を有している。従って、このようなメモリ性を有する反射型液晶表示素子を、バッテリを電源とする携帯通信端末に搭載することにより、種々の新規かつ有用な付加価値が創造されるものと期待される。
【０００３】
しかしながら、コレステリック相を示す液晶は、駆動電圧が比較的大きくなるという問題点を有している。一方、携帯通信端末は携帯性が損なわれないように、限られたバッテリ容量で通信や待機状態を長時間維持できることが求められている。この種の液晶表示素子を搭載するからといってそれに見合った大容量のバッテリに変更することはできないのが実情である。
【０００４】
さらに、メモリ性を有する液晶表示素子と、携帯通信端末のなかで特に大きなパワーを必要とする通信回路とを同時に駆動すると、ピーク電流が増大し、通信が中断されるおそれが生じる。このような不具合はバッテリの残量が少なくなってきたときに顕著であると予測できる。
【０００５】
そこで、本発明の目的は、メモリ性を有する液晶表示素子を搭載するも、該素子の駆動によって通信等の機能が極力損なわれないようにした携帯通信端末を提供することにある。
【０００６】
【発明の構成、作用及び効果】
以上の目的を達成するため、第１の発明に係る携帯通信端末は、メモリ性を有する表示素子と、該表示素子の駆動手段と、電源と、通信手段と、前記表示素子の少なくとも一部の表示領域の駆動と通信とが同時に行われることを禁止し、かつ通信中は前記表示素子の一部の表示領域のみの更新を許可する制御手段とを備えている。
【０００７】
第１の発明に係る携帯通信端末においては、比較的大きな電力を必要とするメモリ性を有する表示素子の少なくとも一部の表示領域の駆動と通信とを同時に行うことがない。従って、ピーク電流が増大して通信が中断されるおそれを回避できる。
【０００９】
通信と並行した処理を禁止する場合、通信中は表示素子の全ての表示領域の更新を禁止してもよいが、必ずしも全ての表示領域の駆動を禁止する必要はなく、通信を中断するほどの電気的な負荷が生じない範囲で、一部の表示領域の更新を許可してもよい。通信中に表示の更新が許可される領域は付加情報表示領域であってもよく、付加情報には電源の電力残量に関連する情報を含むことが好ましい。バッテリなどの電源の電力残量に関連する情報は、携帯通信端末を有効に使用するために必要なものであり、優先的に更新すれば使い勝手が向上する。
【００１０】
また、第１の発明に係る携帯通信端末において、通信中は表示素子の全ての表示領域の更新を禁止する第１のモード、又は通信中は液晶表示素子の一部の表示領域の更新を許可する第２のモードのいずれかを選択可能としてもよい。
【００１１】
さらに、第２の発明に係る携帯通信端末は、メモリ性を有する表示素子と、該表示素子の駆動手段と、電源と、通信手段と、通信の入出力レベルの変化に基づいて、通信と前記表示素子との駆動タイミングを調整する制御手段とを備えている。
【００１２】
通信の入出力レベルの変化に基づいて通信と表示素子との駆動タイミングを調整することにより、通信中断のおそれを回避しつつ必要な情報表示は可能とされるため、操作性が向上する。
【００１３】
なお、待機時とは、回線は接続されていないが、相手方からの通話や通信の待受け状態にある期間（即ち、相手方から通話や通信の要求があれば直ちに回線接続を行える状態）や、通話や通信を行うために基地局への接続を試みている期間をいう。
【００１４】
例えば、待機時又は低入出力レベルでの通信時において電力の消費はそれほど大きくはなく、表示素子の表示更新を許可しても通信の中断等の不具合を生じるおそれはなく、むしろ使い勝手が向上する。この場合、表示の更新を許可する領域は付加情報表示領域に限定してもよい。
【００１５】
【発明の実施の形態】
以下、本発明に係る携帯通信端末の実施形態について、添付図面を参照して説明する。
【００１６】
（携帯電話、図１参照）
図１は本発明の一実施形態である携帯電話１を示し、外観的構成は通常の携帯電話と同様であり、液晶表示パネル１１、種々の操作キーからなる操作部１２、マイク部１３、スピーカ部１４、アンテナ１５などを備えている。
【００１７】
液晶表示パネル１１は、メモリ性を有する液晶を含む表示素子が使用されており、その構成、駆動方法については後述する。この液晶表示パネル１１は上部の幅の狭いステータス表示領域１１ａと、それ以外の面積の広い案内表示領域１１ｂとに分けられている。ステータス表示領域１１ａには、例えば、電波の受信強度マークや内蔵バッテリの残量マークが表示される。案内表示領域１１ｂには、電話番号、名前、通信日時、メール、メールに関連する種々の情報、各種メッセージ等が表示される。
【００１８】
なお、液晶表示パネル１１へは、図１に示すもの及び以下の図９，１６に示すもの以外にも種々の内容が表示されてもよいことは勿論である。また、ステータス表示領域１１ａには、バッテリ残量や電界強度表示以外のステータス表示や他の付加情報を表示するようにしてもよい。例えば、現在の日時情報、通信時間、表示モードなどを表示してもよい。
【００１９】
（液晶表示素子、図２参照）
ここで、前記液晶表示パネル１１に使用されている液晶表示素子について説明する。この液晶表示素子１００はコレステリック相を示す液晶を含む、単純マトリクス駆動方式による反射型のフルカラー表示素子である。
【００２０】
液晶表示素子１００は、光吸収層１２１の上に、赤色の選択反射と透明状態の切換えにより表示を行う赤色表示層１１１Ｒを配し、その上に緑色の選択反射と透明状態の切換えにより表示を行う緑色表示層１１１Ｇを積層し、さらに、その上に青色の選択反射と透明状態の切換えにより表示を行う青色表示層１１１Ｂを積層したものである。
【００２１】
各表示層１１１Ｒ，１１１Ｇ，１１１Ｂは、それぞれ透明電極１１３，１１４を形成した透明基板１１２間に樹脂製柱状構造物１１５、液晶１１６及びスペーサ１１７を挟持したものである。透明電極１１３，１１４上には必要に応じて絶縁膜１１８、配向制御膜１１９が設けられる。また、基板１１２の外周部（表示領域外）には液晶１１６を封止するためのシール材１２０が設けられる。
【００２２】
透明電極１１３，１１４はそれぞれ駆動ＩＣ１３１，１３２（図３参照）に接続されており、透明電極１１３，１１４の間にそれぞれ所定のパルス電圧が印加される。この印加電圧に応答して、液晶１１６が可視光を透過する透明状態と特定波長の可視光を選択的に反射する選択反射状態との間で表示が切り換えられる。
【００２３】
各表示層１１１Ｒ，１１１Ｇ，１１１Ｂに設けられている透明電極１１３，１１４は、それぞれ微細な間隔を保って平行に並べられた複数の帯状電極よりなり、その帯状電極の並ぶ向きが互いに直角方向となるように対向させてある。これら上下の帯状電極に順次通電が行われる。即ち、液晶１１６に対してマトリクス状に順次電圧が印加されて表示が行われる。これをマトリクス駆動と称し、電極１１３，１１４が交差する部分が各画素を構成することになる。このようなマトリクス駆動を各表示層ごとに行うことにより液晶表示素子１００にフルカラー画像の表示を行う。
【００２４】
詳しくは、２枚の基板間にコレステリック相を示す液晶を挟持した液晶表示素子では、液晶の状態をプレーナ状態とフォーカルコニック状態に切り換えて表示を行う。液晶がプレーナ状態の場合、コレステリック液晶の螺旋ピッチをＰ、液晶の平均屈折率をｎとすると、波長λ＝Ｐ・ｎの光が選択的に反射される。また、フォーカルコニック状態では、コレステリック液晶の選択反射波長が赤外光域にある場合には散乱し、それよりも短い場合には可視光を透過する。そのため、選択反射波長を可視光域に設定し、素子の観察側と反対側に光吸収層を設けることにより、プレーナ状態で選択反射色の表示、フォーカルコニック状態で黒の表示が可能になる。また、選択反射波長を赤外光域に設定し、素子の観察側と反対側に光吸収層を設けることにより、プレーナ状態では赤外光域の波長の光を反射するが可視光域の波長の光は透過するので黒の表示、フォーカルコニック状態で散乱による白の表示が可能になる。
【００２５】
各表示層１１１Ｒ，１１１Ｇ，１１１Ｂを積層した液晶表示素子１００は、青色表示層１１１Ｂ及び緑色表示層１１１Ｇを液晶がフォーカルコニック配列となった透明状態とし、赤色表示層１１１Ｒを液晶がプレーナ配列となった選択反射状態とすることにより、赤色表示を行うことができる。また、青色表示層１１１Ｂを液晶がフォーカルコニック配列となった透明状態とし、緑色表示層１１１Ｇ及び赤色表示層１１１Ｒを液晶がプレーナ配列となった選択反射状態とすることにより、イエローの表示を行うことができる。同様に、各表示層の状態を透明状態と選択反射状態とを適宜選択することにより赤色、緑色、青色、白色、シアン、マゼンタ、イエロー、黒色の表示が可能である。さらに、各表示層１１１Ｒ，１１１Ｇ，１１１Ｂの状態として中間の選択反射状態を選択することにより中間色の表示が可能となり、フルカラー表示素子として利用できる。
【００２６】
液晶１１６としては、室温でコレステリック相を示すものが好ましく、特に、ネマティック液晶にカイラル材を添加することによって得られるカイラルネマティック液晶が好適である。
【００２７】
カイラル材は、ネマティック液晶に添加された場合にネマティック液晶の分子を捩る作用を有する添加剤である。カイラル材をネマティック液晶に添加することにより、所定の捩れ間隔を有する液晶分子の螺旋構造が生じ、これによりコレステリック相を示す。
【００２８】
なお、メモリ性液晶自体は必ずしもこの構成に限定されるわけではなく、従来公知の高分子の３次元網目構造のなかに液晶が分散された、あるいは、液晶中に高分子の３次元網目構造が形成された、いわゆる高分子分散型の液晶複合膜として液晶表示層を構成することも可能である。
【００２９】
（駆動回路、図３参照）
前記液晶表示素子１００の画素構成は、図３に示すように、それぞれ複数本の走査電極Ｒ１，Ｒ２〜Ｒｍと信号電極Ｃ１，Ｃ２〜Ｃｎ（ｍ，ｎは自然数）とのマトリクスで表される。走査電極Ｒ１，Ｒ２〜Ｒｍは走査駆動ＩＣ１３１の出力端子に接続され、信号電極Ｃ１，Ｃ２〜Ｃｎは信号駆動ＩＣ１３２の出力端子に接続されている。
【００３０】
走査駆動ＩＣ１３１は、走査電極Ｒ１，Ｒ２〜Ｒｍのうち所定のものに選択信号を出力して選択状態とする一方、その他の電極には非選択信号を出力して非選択状態とする。走査駆動ＩＣ１３１は、所定の時間間隔で電極を切り換えながら順次各走査電極Ｒ１，Ｒ２〜Ｒｍに選択信号を印加してゆく。一方、信号駆動ＩＣ１３２は、選択状態にある走査電極Ｒ１，Ｒ２〜Ｒｍ上の各画素を書き換えるべく、画像データに応じた信号を各信号電極Ｃ１，Ｃ２〜Ｃｎに同時に出力する。例えば、走査電極Ｒａが選択されると（ａはａ≦ｍを満たす自然数）、この走査電極Ｒａと各信号電極Ｃ１，Ｃ２〜Ｃｎとの交差部分の画素ＬＲａ−Ｃ１〜ＬＲａ−Ｃｎが同時に書き換えられる。これにより、各画素における走査電極と信号電極との電圧差が画素の書換え電圧となり、各画素がこの書換え電圧に応じて書き換えられる。
【００３１】
液晶表示素子１００の駆動回路１３０は、中央処理装置（ＣＰＵ）１３５によって制御されるコントローラ１３３，１３４及び駆動ＩＣ（ドライバ）１３１，１３２にて構成されている。さらに、ＣＰＵ１３５には画像処理装置１３６、画像メモリ１３７が接続されている。画像メモリ１３７に記憶された画像データに基づいてコントローラ１３３，１３４が駆動ＩＣ１３１，１３２を制御し、液晶表示素子１００の各走査電極及び信号電極間に順次電圧を印加し、液晶表示素子１００に画像を書き込む。
【００３２】
ここで、コレステリック相を示す液晶の捩れを解くための第１の閾値電圧をＶth１とすると、電圧Ｖth１を十分な時間印加した後に電圧を第１の閾値電圧Ｖth１よりも小さい第２の閾値電圧Ｖth２以下に下げるとプレーナ状態になる。また、Ｖth２以上でＶth１以下の電圧を十分な時間印加するとフォーカルコニック状態になる。この二つの状態は電圧印加を停止した後でも安定に維持される。また、Ｖth１〜Ｖth２間の電圧を印加することにより、中間調の表示、即ち、階調表示が可能である。
【００３３】
なお、部分的に書換えを行う場合は、書き換えたい部分を含むように特定の走査ラインのみを順次選択するようにすればよい。これにより、必要な部分のみを短時間で書き換えることができる。
【００３４】
各画素の書換えは前述した方法で行うことができるが、既に画像が表示されている場合、この画像による影響をなくすために、書換え前に各画素を全て同じ表示状態にリセットすることが好ましい。リセットは全画素を一括して行ってもよいし、走査ラインごとに行ってもよい。
【００３５】
部分的に書換えを行う場合は、各走査ラインごとにリセットを行うか、書き換えたい部分を含む走査ライン間のみを一括してリセットすればよい。
【００３６】
駆動方法は種々の方法を採用可能である。
【００３７】
なお、ステータス表示領域１１ａは表示パネル１１を部分駆動することによって実現してもよいし、ステータス表示領域１１ａと案内表示領域１１ｂとでパネル及び駆動回路を独立させてもよい。
【００３８】
（携帯電話の制御部、図４参照）
次に、携帯電話１の制御部について図４を参照して説明する。この制御部５０は、基本的には従来の携帯電話と同様であり、図３に示したＣＰＵ１３５を中心として構成されている。ＣＰＵ１３５には、さらに、操作部１２、マイク１３、スピーカ１４、通話中であることを知らせるなどの目的で点灯させるＬＥＤなどの発光素子１６、電話帳等を記憶するメモリ１７が接続され、かつ、アンテナ１５が無線通信回路１８を介して接続されている。
【００３９】
制御部５０に内蔵されているバッテリ５１は、電源回路５２を介して、ＣＰＵ１３５、駆動回路１３０及び無線通信回路１８に電力を供給する。また、バッテリ５１はＣＰＵ１３５によって制御される監視回路５３によってその電力残量を監視されている。ＣＰＵ１３５は監視回路５３からの残量データに基づいて液晶表示素子１００の表示更新の許否を決定する。なお、このような更新許否の制御及びＣＰＵ１３５による各種制御については後述する。
【００４０】
（通話時の制御手順、図５〜９参照）
図５〜８はＣＰＵ１３５による通話時の制御手順を示す。まず、ステップＳ１で液晶表示パネル１１に通話を促すメッセージ及びステータスを表示する（図９（Ａ）参照）。さらに、ステップＳ２で電話番号入力等のため操作部１２のキー操作に応じた表示を液晶表示パネル１１に行う。
【００４１】
次に、ステップＳ３で通話ボタンのオンなどによる通話の開始が確認されると、ステップＳ４で回線の接続処理を行い、ステップＳ５で接続できたか否かを判定する。接続できれば、ステップＳ６でその旨を表示し（図９（Ｂ）参照）、ステップＳ７で通話を許可する。一方、話し中などで接続できなければ、ステップＳ８でその旨を表示し（図９（Ｃ）参照）、ステップＳ２へ戻る。
【００４２】
通話が許可された後は、ステップＳ９でステータス判定処理のサブルーチンをコールし、ステータスを判定する。ここで判定されるステータスは、通話圏内か否か、及びバッテリの残量であり、図７に示すように、まず、ステップＳ２１で通話圏内か否かを判定する。圏内であれば、ステップＳ２２で電波の強度変化を確認すると、ステップＳ２３でステータス更新要求３（強度変化）を指示する。
【００４３】
一方、前記ステップＳ２１で通話圏内でないと判定すると、ステップＳ２６でステータス更新要求２（圏外）を指示する。
【００４４】
次に、ステップＳ２４で前記監視回路５３での検出に基づいてバッテリ５１の残量がＯＫか否かを判定する。残量がなくなれば、ステップＳ２５でステータス更新要求１（バッテリ警告）を指示する。
【００４５】
以上のステータス判定処理を終了すると、図６に戻って、ステップＳ１０でステータス更新要求の有無を判定し、更新が要求されていなければステップＳ１４へ移行する。更新が要求されていれば、ステップＳ１１で送信モードを判定する。
【００４６】
送信モードとは、本実施形態では低出力送信モードと高出力送信モードである。図８に示すように、まず、ステップＳ３１で基地局との距離を判定し、距離が近ければ、ステップＳ３２で低出力送信モードに設定する。距離が遠い場合、ステップＳ３３で一定レベル以上での音量での音声通信が継続されているか否かを判定し、継続されていればステップＳ３４で高出力送信モードに設定する。継続されていなければステップＳ３５で低出力送信モードに設定する。
【００４７】
以上の送信モード判定処理を終了すると、図６に戻って、ステップＳ１２で低出力送信モードに設定されているか否かを判定する。低出力送信モードであれば、ステップＳ１３でステータス表示領域１１ａの表示を更新し（図９（Ｄ１），（Ｄ２），（Ｄ３）参照）、かつ、その更新要求を解除する。即ち、送信モード判定処理において、ＣＰＵ１３５が通信中は表示素子の全領域の更新を禁止するモードと、通信中は表示素子の部分的な更新を許可するモードとの切換えを選択することになる。
【００４８】
その後、ステップＳ１４で回線切断か否かを判定し、切断されていないのであればステップＳ９へ戻る。切断された場合には、ステップＳ１５で通話時間等の情報を案内表示領域１１ｂに表示する。即ち、ステップＳ７の通話許可からステップＳ１４にて回線切断と判定されるまでの間、ステータス表示領域１１ａを除いて表示パネル１１の表示更新が禁止される。ステータス表示領域１１ａのみを更新する場合は全画面を更新する場合に比べて電気的な負荷の増大が抑えられるので、通話中にステータス表示領域１１ａを更新しても通話を中断するおそれが少ない。また、表示更新が途中で停止し、未完成の画面が表示されたままになるのを防止するのにも有効である。
【００４９】
次に、ステップＳ１６でステータス更新要求１，２が指示されているか否かを判定する。指示されていれば、ステップＳ１７でステータスの表示を更新する（図９（Ｄ１），（Ｄ２）参照）。そして、いずれの場合もステップＳ１８でその更新要求を解除する。なお、通話及び表示完了後は電波強度の変化があってもこれを直ちに更新表示する必要性は低いと考えられるため、ステップＳ１６ではステータス更新要求１，２のみを判定対象としている。
【００５０】
なお、本実施形態では、通話・通信の開始待ちの間はステータス表示が更新されないようになっているが、勿論、この間にステップＳ９のようなステータス判定処理を定期的に実行して適宜ステータス表示を更新するようにしてもよい。
【００５１】
（制御モードの態様、図１０参照）
本携帯電話１においては、回線が接続状態にあるとき、通信（実質的なデータの交換を意味する）と液晶表示素子１００の駆動との関係について、図１０に示す第１、第２及び第３の制御モードを有している。
【００５２】
第１制御モードは、通信の終了を待って液晶表示パネル１１への描画を開始し、かつ、描画の終了を待って通信を開始する。第２制御モードは、液晶表示パネル１１への描画を優先し、描画が始まると通信を一時的に中断する。第３制御モードは、通信を優先し、通信が途切れたときに描画を開始するも、通信が再開すると描画を一時的に中断する。
【００５３】
前記第１、第２及び第３の制御モードは、いずれも液晶表示パネル１１の駆動と通信とが同時に行われることを禁止するものである。本携帯電話１にあっては、少なくとも液晶表示パネル１１の案内表示領域１１ｂの駆動と通信とが同時に行われることが禁止される。表示パネル１１の全域の更新と通信との同時駆動を禁止してもよいし、案内表示領域１１ｂのみ更新を禁止するようにしてもよい。なお、通信中も定期的にステータス判定を行ってステータスも定期的に更新するようにしてもよい。
【００５４】
（データ構造、図１１参照）
図１１はデータ構造の一例を示し、ヘッダ、テキスト、イメージ、フッタなどが含まれる。ブランクＢ１，Ｂ２は回線の混雑などで不可抗力的に生じたものであるが、ブランクＢ３のように予め設けることもできる。
【００５５】
（通信時の制御手順、図１２〜１６参照）
図１２〜１５はＣＰＵ１３５によるメール等の通信時の制御手順を示す。通信がスタートすると、ステップＳ４１で液晶表示パネル１１にメッセージ及びステータスを表示する（図１６（Ａ）参照）。さらに、ステップＳ４２で操作部１２のキー操作に応じた表示を液晶表示パネル１１に行う。
【００５６】
次に、ステップＳ４３で通信の開始が確認されると、ステップＳ４４で回線を接続し、ステップＳ４５で接続できたか否かを判定する。接続できれば、ステップＳ４６でその旨を表示し（図１６（Ｂ）参照）、ステップＳ４７で通信を許可する。一方、サーバメンテナンス中などで接続できなければ、ステップＳ４８でその旨を表示し（図１６（Ｃ）参照）、ステップＳ４２へ戻る。
【００５７】
前記ステップＳ４７で通信が許可されると、ステップＳ４９で制御モードをチェックし、設定されている制御モードに基づいて以下に説明するステップＳ５０，６０，７０のサブルーチンを実行する。
【００５８】
第１制御モードに設定されていれば、図１３に示すように、ステップＳ５１で１ブロックの通信が完了したか否かを判定する。完了していれば、ステップＳ５２で次ブロックのデータ受信を保留し、ステップＳ５３で受信データの表示を開始する（図１６（Ｄ）参照）。
【００５９】
次に、ステップＳ５４で受信データの描画完了を確認のうえ、ステップＳ５５で全ブロックの通信が完了したか否かを判定する。完了していれば、ステップＳ５６で完了した旨のメッセージを表示し（図１６（Ｅ）参照）、ステップＳ４２へ戻る。完了していなければ、ステップＳ５７で通信を再開し、ステップＳ５１へ戻る。
【００６０】
一方、ステップＳ５１で１ブロックの通信が完了していないと判定されると、ステップＳ５８で通信の中断を確認のうえ、ステップＳ５９でその旨を表示し（図１６（Ｆ）参照）、ステップＳ４２へ戻る。
【００６１】
第２制御モードに設定されていれば、図１４に示すように、ステップＳ６１で画像データの受信の有無を判定する。画像データを受信したのであれば、ステップＳ６２で通信を一時停止し、ステップＳ６３で受信データの表示を開始する（図１６（Ｄ）参照）。
【００６２】
次に、ステップＳ６４で受信データの描画完了を確認のうえ、ステップＳ６５で通信を再開する。そして、ステップＳ６６で通信が完了したか否かを判定し、完了していれば、ステップＳ６７で完了した旨のメッセージを表示し（図１６（Ｅ）参照）、ステップＳ４２へ戻る。完了していなければ、ステップＳ６１へ戻る。
【００６３】
一方、ステップＳ６１で画像データを受信していないと判定されると、ステップＳ６８で通信の中断を確認のうえ、ステップＳ６９でその旨を表示し（図１６（Ｆ）参照）、ステップＳ４２へ戻る。
【００６４】
第３制御モードに設定されていれば、図１５に示すように、まず、ステップＳ７１で画像データの受信の有無を判定する。画像データを受信したのであれば、ステップＳ７２で通信ブランクの存在を確認のうえ、ステップＳ７３で新たな画像データであるか否かを判定する。新たな画像データであれば、ステップＳ７４で受信データの表示を開始する（図１６（Ｄ）参照）。新たな画像データでなければ、ステップＳ７５で描画を再開する。
【００６５】
次に、ステップＳ７６で通信データの有無を判定し、通信データがあれば、ステップＳ７７で描画を一時停止し、ステップＳ７１へ戻る。通信データがなければ、ステップＳ７８で通信の完了を確認のうえ、ステップＳ７９で完了した旨のメッセージを表示し（図１６（Ｅ）参照）、ステップＳ４２へ戻る。通信が完了しない間はステップＳ７６へ戻る。
【００６６】
一方、ステップＳ７１で画像データを受信していないと判定されると、ステップＳ８０で通信の中断を確認のうえ、ステップＳ８１でその旨を表示し（図１６（Ｆ）参照）、ステップＳ４２へ戻る。
【００６７】
（他の実施形態）
なお、本発明に係る携帯通信端末は前記実施形態に限定するものではなく、その要旨の範囲内で種々に変更することができる。
【００６８】
特に、本発明は携帯電話以外にＰＨＳ、メール専用携帯端末、通信機能付きＰＤＡ等の携帯通信端末に広く適用することができる。
【００６９】
また、前記実施形態で示した携帯電話の外観、液晶表示パネルの配置個所等は任意である。
【図面の簡単な説明】
【図１】本発明の一実施形態である携帯電話及びその表示パネルの表示例を示す正面図。
【図２】液晶表示パネルに使用されている液晶表示素子の一例を示す断面図。
【図３】前記液晶表示素子の駆動回路を示すブロック図。
【図４】携帯電話の制御部を示すブロック図。
【図５】通話時の制御手順を示すフローチャート図。
【図６】通話時の制御手順を示すフローチャート図、図５の続き。
【図７】ステータスの判定処理を示すフローチャート図。
【図８】送信モードの判定処理を示すフローチャート図。
【図９】通話時における液晶表示パネルへの表示例を示す説明図。
【図１０】制御モードの態様を示すチャート図。
【図１１】データ構造の一例を示すチャート図。
【図１２】通信時の制御手順を示すフローチャート図。
【図１３】第１制御モードを示すフローチャート図。
【図１４】第２制御モードを示すフローチャート図。
【図１５】第３制御モードを示すフローチャート図。
【図１６】通信時における液晶表示パネルへの表示例を示す説明図。
【符号の説明】
１…携帯電話
１１…液晶表示パネル
１１ａ…ステータス表示領域
１１ｂ…案内表示領域
１８…無線通信回路
５１…バッテリ
５３…バッテリ監視回路
１００…液晶表示素子
１３５…ＣＰＵ
【図１】
0004103297.tif 000002
【図２】
0004103297.tif 000003
【図３】
0004103297.tif 000004
【図４】
0004103297.tif 000005
【図５】
0004103297.tif 000006
【図６】
0004103297.tif 000007
【図７】
0004103297.tif 000008
【図８】
0004103297.tif 000009
【図９】
0004103297.tif 000010
【図１０】
0004103297.tif 000011
【図１１】
0004103297.tif 000012
【図１２】
0004103297.tif 000013
【図１３】
0004103297.tif 000014
【図１４】
0004103297.tif 000015
【図１５】
0004103297.tif 000016
【図１６】
0004103297.tif 000017